(57)【要約】【課題】  電子機器に対してソフト的なセキュリティではなく、ハード的なセキュリティを確保する。【解決手段】  セキュリティシステムにおいて、ＡＣ／ＤＣ変換処理部は予め設定された第１の記憶デバイス内の変換テーブルに基づいて各電源端子の定格電圧に対して昇降圧電圧を発生する第１のＤＣ／ＤＣコンバ−タを備え、メインボードは予め設定された第２の記憶デバイス内の逆変換テーブルに基づいて第１のＤＣ／ＤＣコンバ−タの出力電圧に対して逆昇降圧電圧を発生する第２のＤＣ／ＤＣコンバ−タを備える。【選択図】      図１
2011227705.tif 000002
【特許請求の範囲】
【請求項１】
ＡＣ／ＤＣ変換処理部と、およびメインボードとを含み有するセキュリティシステムにおいて、
前記ＡＣ／ＤＣ変換処理部は予め設定された第１の記憶デバイス内の変換テーブルに基づいて各電源端子の定格電圧に対して昇降圧電圧を発生する第１のＤＣ／ＤＣコンバ−タを備え、
前記メインボードは予め設定された第２の記憶デバイス内の逆変換テーブルに基づいて前記第１のＤＣ／ＤＣコンバ−タの出力電圧に対して逆昇降圧電圧を発生する第２のＤＣ／ＤＣコンバ−タを備えることを特徴とするセキュリティシステム。
【請求項２】
前記変換テーブルは昇降圧率である所定値１（Ｋ１〜ＫＮ）を記憶し前記逆変換テーブルは逆昇降圧率である所定値２（１／Ｋ１〜１／ＫＮ）を記憶することを特徴とする請求項１記載のセキュリティシステム。
【請求項３】
前記ＡＣ／ＤＣ変換処理部はＡＣ電源から前記各電源端子の前記定格電圧に変換するＡＣ／ＤＣコンバータを備え、前記メインボードは各デバイスの制御を行うメインボード回路を備えることを特徴とする請求項１または請求項２記載のセキュリティシステム。
【請求項４】
前記第１の記憶デバイスおよび前記第２の記憶デバイスの少なくともいずれかが着脱自在であることを特徴とする請求項１乃至請求項３のいずれかに記載のセキュリティシステム。
【請求項５】
前記メインボードは前記第２のＤＣ／ＤＣコンバータと前記メインボード回路間にヒューズ回路を備えることを特徴とする請求項１乃至請求項４のいずれかに記載のセキュリティシステム。
【請求項６】
前記所定値１および前記所定値２は予め暗号化されていることを特徴とする請求項１乃至請求項５のいずれかに記載のセキュリティシステム。
【請求項７】
前記ＡＣ／ＤＣコンバータは前記ＡＣ電源がＯＮになったときに前記第１のＤＣ／ＤＣコンバータおよび前記第２のＤＣ／ＤＣコンバータを動作させるための設定用電源を供給することを特徴とする請求項１乃至請求項６のいずれかに記載のセキュリティシステム。
【請求項８】
セキュリティ処理方法において、予め設定された第１の記憶デバイス内の変換テーブルに基づいて各電源端子の定格電圧に対して昇降圧電圧を発生する第１のＤＣ／ＤＣコンバ−タ処理ステップと、予め設定された第２の記憶デバイス内の逆変換テーブルに基づいて前記第１のＤＣ／ＤＣコンバ−タ処理ステップで設定された昇降圧電圧に対して逆昇降圧電圧を発生する第２のＤＣ／ＤＣコンバ−タ処理ステップを含むことを特徴とするセキュリティ処理方法。
【請求項９】
予め設定された第１の記憶デバイス内の変換テーブルに基づいて各電源端子の定格電圧に対して昇降圧電圧を発生する第１のＤＣ／ＤＣコンバ−タ処理と、予め設定された第２の記憶デバイス内の逆変換テーブルに基づいて前記第１のＤＣ／ＤＣコンバ−タ処理で設定された昇降圧電圧に対して逆昇降圧電圧を発生する第２のＤＣ／ＤＣコンバ−タ処理をコンピュータに実行させることを特徴とするプログラム。
【発明の詳細な説明】
【技術分野】
【０００１】
本発明はセキュリティシステム、セキュリティ処理方法、およびプログラムに関し、特に、電源電圧を利用した電子機器に対するセキュリティシステム、セキュリティ処理方法、およびプログラムに関する。
【背景技術】
【０００２】
電子機器に対するセキュリティシステムの例が特許文献１に記載されている。特許文献１の技術は、ＢＩＯＳ（Ｂａｓｉｃ  Ｉｎｐｕｔ／Ｏｕｔｐｕｔ  Ｓｙｓｔｅｍ）によって生成されたワンタイムパスワードを用いて電子機器のセキュリティを確保する構成である。
【０００３】
また、電子機器に対するセキュリティシステムの例が特許文献２に記載されている。特許文献２の技術は、パスワード入力の妥当性に基づいて電子機器への電源供給を開始するか否かを判断する構成である。
【先行技術文献】
【特許文献】
【０００４】
【特許文献１】特開２００９−１８７１５４号公報
【特許文献２】特開平１１−１０２２４０号公報
【発明の概要】
【発明が解決しようとする課題】
【０００５】
特許文献１、特許文献２の技術では、ソフトウェアやＢＩＯＳ設定により第三者が起動できないようにしているが、これらは利用者本人がセキュリティを確保するためにパスワード等のセキュリティ設定をする必要がある。また、セキュリティ設定していてもパスワード等が第三者に解読され、漏洩するリスクがある。
【０００６】
また、特許文献１、特許文献２の技術では、電子機器に対してソフト的なセキュリティでなく、ハード的なセキュリティを確保する技術の記載がない。
【０００７】
本発明の目的は、上記問題点を解決するセキュリティシステムを提供することである。
【課題を解決するための手段】
【０００８】
本発明のセキュリティシステムは、ＡＣ（交流）／ＤＣ（直流）変換処理部は予め設定された第１の記憶デバイス内の変換テーブルに基づいて各電源端子の定格電圧に対して昇降圧電圧を発生する第１のＤＣ／ＤＣコンバ−タを備え、メインボードは予め設定された第２の記憶デバイス内の逆変換テーブルに基づいて前記第１のＤＣ／ＤＣコンバ−タの出力電圧に対して逆昇降圧電圧を発生する第２のＤＣ／ＤＣコンバ−タを備える。
【０００９】
本発明のセキュリティ処理方法は、予め設定された第１の記憶デバイス内の変換テーブルに基づいて各電源端子の定格電圧に対して昇降圧電圧を発生する第１のＤＣ／ＤＣコンバ−タ処理ステップと、予め設定された第２の記憶デバイス内の逆変換テーブルに基づいて前記第１のＤＣ／ＤＣコンバ−タ処理ステップで設定された昇降圧電圧に対して逆昇降圧電圧を発生する第２のＤＣ／ＤＣコンバ−タ処理ステップを含む。
【００１０】
本発明のプログラムは、予め設定された第１の記憶デバイス内の変換テーブルに基づいて各電源端子の定格電圧に対して昇降圧電圧を発生する第１のＤＣ／ＤＣコンバ−タ処理と、予め設定された第２の記憶デバイス内の逆変換テーブルに基づいて前記第１のＤＣ／ＤＣコンバ−タ処理で設定された昇降圧電圧に対して逆昇降圧電圧を発生する第２のＤＣ／ＤＣコンバ−タ処理をコンピュータに実行させる。
【発明の効果】
【００１１】
本発明の効果は、ユーザ−により記憶デバイス（１）が意図的に外され、記憶デバイス（２）と対にならない記憶デバイス（１）が着脱されても電子機器のセキュリティを確保できることである。
【図面の簡単な説明】
【００１２】
【図１】本発明の第１の実施の形態であるセキュリティシステム（１）６００の構成図である。
【図２】本発明の第２の実施の形態であるセキュリティシステム（２）７００の構成図である。
【図３】本発明の第２の実施の形態であるセキュリティシステム（２）７００における正常時の各電源端子の電圧の昇降圧変換、逆昇降圧変換の１例を示す図である。
【図４】本発明の第２の実施の形態であるセキュリティシステム（２）７００におけるノートパソコン盗難時の各電源端子の電圧の昇降圧変換、逆昇降圧変換の１例を示す図である。
【図５】本発明の第２の実施の形態であるセキュリティシステム（２）７００の動作を示すフローチャートの１例である。
【発明を実施するための形態】
【００１３】
次に、本発明の第１の実施の形態について図面を参照して詳細に説明する。
【００１４】
図１は、本発明の第１の実施の形態であるセキュリティシステム（１）６００の構成図である。
【００１５】
セキュリティシステム（１）６００は、ＡＣ／ＤＣ変換処理部４００、およびメインボード５００を含んでから構成されている。尚、セキュリティシステム（１）６００は電子機器（例えば、ノートパソコン等に移動機器）のセキュリティシステムであると想定している。
【００１６】
ＡＣ／ＤＣ変換処理部４００は、記憶デバイス（１）４１０（第１の記憶デバイスとも呼ぶ）、ＤＣ／ＤＣコンバータ（１）処理部４２０（第１のＤＣ／ＤＣコンバータとも呼ぶ）、および端子部（１）４３０を含んでから構成されている。尚、ＡＣ／ＤＣ変換処理部４００は、図示されていないが、ＡＣ電源から各電源端子の定格電圧を発生するＡＣ／ＤＣコンバータを備えている。
【００１７】
メインボード５００は、記憶デバイス（２）５１０（第２の記憶デバイスとも呼ぶ）、ＤＣ／ＤＣコンバータ（２）処理部５２０（第２のＤＣ／ＤＣコンバータとも呼ぶ）、および端子部（２）５３０を含んでから構成されている。尚、メインボード５００は、図示されていないが電子機器（例えば、ノートパソコン等の移動機器）の各デバイスを制御する回路を備えている。
【００１８】
記憶デバイス（１）４１０は着脱自在のデバイスであり、各電源端子の定格電圧に対して、ＤＣ／ＤＣコンバータ（１）処理部４２０でＤＣ／ＤＣ変換するための変換テーブルを記憶している。ユーザは、電子機器の非使用時に、記憶デバイス（１）４１０を電子機器から取り外すものとする。
【００１９】
また、記憶デバイス（２）５１０は、記憶デバイス（１）４１０と対をなしている着脱自在のデバイスであり、ＤＣ／ＤＣコンバータ（１）処理部４２０にて昇降圧された電源電圧を逆に昇降圧させるための逆変換テーブルを記憶している。
【００２０】
変換テーブルと逆変換テーブルは、ＡＣ／ＤＣ変換処理部４００とメインボード５００の組み合わせで予めユニークな値（例えば、製造番号に対応）に設定されている。
【００２１】
次に、本発明の第１の実施の形態におけるセキュリティシステム（１）６００の動作について、図１を参照して説明する。
【００２２】
ＤＣ／ＤＣコンバ−タ（１）処理部４２０は、ＡＣ電源からＡＣ／ＤＣコンバータによって発生された各電源端子の定格電圧に対して、予め設定された記憶デバイス（１）４１０内の変換テーブルに基づいて昇降圧し、端子部（１）４３０に昇降圧電圧を出力する。
【００２３】
次に、ＤＣ／ＤＣコンバ−タ（２）処理部５２０は、予め設定された記憶デバイス（２）５１０内の逆変換テーブルに基づいて、端子部（１）４３０、端子部（２）５３０経由で出力された昇降圧電圧に対して逆に昇降圧して、各電源端子の定格電圧を発生する。
【００２４】
ここで、セキュリティシステム（１）６００が盗難され、記憶デバイス（２）５１０と対でない記憶デバイス（１）４１０が装着された場合、ＤＣ／ＤＣコンバータ（２）処理部５２０の出力が各電源端子の定格電圧にならず、各電圧状態は小さくなり過ぎたり過電圧となったりして、メインボード５００を起動できずセキュリティを確保できる。
【００２５】
このため、本発明の第１の実施の形態であるセキュリティシステム（１）６００は、ユーザによって記憶デバイス（１）４１０が意図的に外されることによって、セキュリティが確保できる。
【００２６】
その理由は、各電源端子の定格電圧に対して予め記憶デバイス（１）４１０に設定された変換テーブルに基づいて昇降圧するＤＣ／ＤＣコンバ−タ（１）処理部４２０と、ＤＣ／ＤＣコンバ−タ（１）処理部４２０の出力電圧を予め記憶デバイス（２）５１０に設定された逆変換テーブルに基づいて逆昇降圧するＤＣ／ＤＣコンバ−タ（２）処理部２１０を備え、セキュリティシステム（１）６００が盗難され、記憶デバイス（２）５１０と対でない記憶デバイス（１）４１０が装着された場合、セキュリティを確保するような構成を採用したためである。
【００２７】
尚、ＤＣ／ＤＣコンバ−タ（１）処理部４２０、およびＤＣ／ＤＣコンバ−タ（２）処理部５２０は、ハードウェアで実現してもよいしソフトウェアで実現してもよい。
【００２８】
次に、本発明の第２の実施の形態について図面を参照して詳細に説明する。
【００２９】
図２は、本発明の第２の実施の形態であるセキュリティシステム（２）７００の構成図である。
【００３０】
セキュリティシステム（２）７００は、ＡＣ電源３００、ＡＣ／ＤＣ変換処理部１００、およびメインボード２００とから構成されている。
【００３１】
尚、セキュリティシステム（２）７００は、１例として、ノートパソコンのような持ち運び可能な移動機器を想定しているが、電池駆動であれば設置型の機器でもよい。
【００３２】
ＡＣ／ＤＣ変換処理部１００は、ＡＣ／ＤＣコンバータ１３０、記憶デバイス（１）１２０、ＤＣ／ＤＣコンバータ（１）処理部１１０、および端子部（１）１４０を備えるから構成されている。
【００３３】
ここで、記憶デバイス（１）１２０、ＤＣ／ＤＣコンバータ（１）処理部１１０、および端子部（１）１４０は、それぞれ本発明の第１実施の形態であるセキュリティシステム（１）６００の記憶デバイス（１）４１０、ＤＣ／ＤＣコンバータ（１）処理部４２０、および端子部（１）４３０の１例である。
【００３４】
ＡＣ／ＤＣコンバータ１３０は、ＡＣ電源３００をＤＣに変換する。また、ＡＣ／ＤＣコンバータ１３０は、セキュリティ強化のため変換された各電源端子の定格電圧が容易に判別されないようにＡＣ／ＤＣ変換処理部１００に内蔵する。
【００３５】
記憶デバイス（１）１２０は、ＡＣ／ＤＣコンバータ１３０の出力端子（１〜Ｎ：Ｎは整数）の定格電圧に対して、予め設定された所定の昇降圧率（ｋ１〜ｋＮ）を表すデータを記憶している。本実施の形態では、Ｎ＝９である。
【００３６】
また、記憶デバイス（１）１２０は、利用者本人が着脱することができるデバイスであり、データは予め暗号化されている。
【００３７】
端子部（１）１４０は電源端子で一例としてＡ０〜Ａ９の１０端子で構成されている。
【００３８】
ＡＣ／ＤＣコンバータ１３０によって発生された設定用電源Ａ０は、電源端子Ａ０に電源を供給されする。また、ＡＣ／ＤＣコンバータ１３０は、と共に、記憶デバイス（１）１２０、ＤＣ／ＤＣコンバータ（１）処理部１１０等の最低限の回路を動作するための電源を供給する。
【００３９】
電源端子Ａ１〜Ａ９は、電源受給側への電圧を出力する端子である。また、電源端子Ａ１〜Ａ９には、ＤＣ／ＤＣコンバータ（１）処理部１１０からのＤＣ変換出力が供給される
メインボード２００は、記憶デバイス（２）２２０、ＤＣ／ＤＣコンバータ（２）処理部２１０、端子部（２）２４０、ヒューズ回路２５０、およびメインボード回路２３０から構成されている。
【００４０】
ここで、記憶デバイス（２）２２０、ＤＣ／ＤＣコンバータ（２）処理部２１０、および端子部（２）２４０はそれぞれ、本発明の第１実施の形態であるセキュリティシステム（１）６００の記憶デバイス（２）５１０、ＤＣ／ＤＣコンバータ（２）処理部５２０、端子部（２）５３０の１例である。
【００４１】
記憶デバイス（２）２２０は、着脱自在のデバイスである。また、記憶デバイス（２）２２０は、ＤＣ／ＤＣコンバータ（２）処理部２１０が複数のメインボード動作電源を出力端子Ｃ１〜Ｃ９に出力するためのユニークな逆昇降圧率情報（各電源端子１〜Ｎに対して、予め設定された所定の逆昇降圧率１／ｋ１〜１／ｋＮ）を予め記録している。逆昇降圧率情報おり、データは予め暗号化されている。
【００４２】
尚、ここでは、記憶デバイス（１）１２０、および記憶デバイス（２）２２０とも着脱自在のデバイスとしているが、少なくともいずれかが着脱自在であればよい。
【００４３】
ＤＣ／ＤＣコンバータ（２）処理部２１０は、記憶デバイス（２）２２０内の逆昇降圧率情報を参照して、入力された端子部（２）２４０の電源端子Ｂ１〜Ｂ９から入力された電圧を変換し、複数のメインボード動作電源として出力端子Ｃ１〜Ｃ９に出力する。
【００４４】
端子部（２）２４０は電源端子で、一例としてＢ０〜Ｂ９の１０端子で構成されている。
【００４５】
ヒューズ回路２５０は、一例としてヒューズＦ１〜Ｆ９で構成されている。また、ヒューズ回路２５０は、ＤＣ／ＤＣコンバータ（２）処理部２１０の出力端子Ｃ１〜Ｃ９とメインボード回路２３０の入力端子Ｄ１〜Ｄ９の間に設けられている。
【００４６】
メインボード回路２３０は、ＣＰＵ２３１、ディスプレイ２３２、ＨＤＤ２３３、パッド２３４、ＰＣカード２３５、バックライト２３６、ＣＤ２３７、ＬＡＮ２３８、およびＵＳＢ２３９の各デバイスから構成されている。
【００４７】
メインボード回路２３０は、ＤＣ／ＤＣコンバータ（２）処理部２１０から端子Ｃ１〜Ｃ９に供給される複数のメインボード動作電源Ｃ１〜Ｃ９で動作する。また、各デバイスは、定格電圧である各デバイス用電源（端子Ｄ１〜Ｄ９への電源）で動作する。
【００４８】
メインボード回路２３０は、ノートパソコン等のメインボードと同等の機能を有し、各デバイスへ定格電圧の各デバイス用電源Ｄ１〜Ｄ９を供給する。
【００４９】
電源端子Ｂ０は、記憶デバイス（２）２２０、ＤＣ／ＤＣコンバータ（２）処理部２１０等、メインボード回路２３０以外の回路を動作させるための電源を受給する。
【００５０】
電源端子Ｂ１〜Ｂ９は、電源供給側の電源を受け取るための端子であり、ＤＣ／ＤＣコンバータ（２）処理部２１０で決定される電圧の最大値にも耐えうる強度とする。入力端子数は、端子部（１）１４０の出力端子数と同数である。
【００５１】
図３は、セキュリティシステム（２）７００における正常時の各電源端子の電圧の昇降圧変換、逆昇降圧変換の１例を示す図である。
【００５２】
図４は、セキュリティシステム（２）７００におけるノートパソコン盗難時の各電源端子の電圧の昇降圧変換、逆昇降圧変換の１例を示す図である。
【００５３】
図５は、セキュリティシステム（２）７００の動作を示すフローチャートの１例である。
【００５４】
次に、本発明の第２の実施の形態におけるセキュリティシステム（１）７００の動作について、図２〜図５を参照して説明する。
【００５５】
まず、ＡＣケーブル３１０がＡＣ電源３００とＡＣ／ＤＣコンバータ１３０に接続されると（ステップＳ２０／ＹＥＳ）、ＡＣ／ＤＣコンバータ１３０は、ＡＣ電源３００から直流電源に変換し、記憶デバイス（１）１２０、ＤＣ／ＤＣコンバータ（１）処理部１１０、および電源端子Ａ０に設定用電源を流す（ステップＳ２１）。
【００５６】
ＤＣ／ＤＣコンバータ（１）処理部１１０は、記憶デバイス（１）１２０内の暗号化されたデータを符号化し、その値から各電源端子（Ａ１〜Ａ９）への昇降圧電圧を決定する（ステップＳ２２）。
【００５７】
ＤＣ／ＤＣコンバータ（１）処理部１１０は、各電源端子（Ａ１〜Ａ９）へ昇降圧電圧を出力する（ステップＳ２３）。
【００５８】
一方、メインボード２００は、電源端子Ｂ０から設定用電源を得て、記憶デバイス（１）１２０、ＤＣ／ＤＣコンバータ（２）処理部２１０に設定用電源を供給する流す（ステップＳ３０）。
【００５９】
ＤＣ／ＤＣコンバータ（２）処理部２１０は、記憶デバイス（２）２２０内の暗号化された電源端子Ｂ１〜Ｂ９の電圧に対する昇降圧率情報を符号化し、各電源端子（Ｃ１〜Ｃ９）への逆昇降圧電圧を決定する（ステップＳ３１）。
【００６０】
ＤＣ／ＤＣコンバータ（２）処理部２１０は、電源端子Ｂ１〜Ｂ９から受給した電源電圧を変換し、メインボード回路２３０へのメインボード動作電源Ｃ１〜Ｃ９への逆昇降圧電圧を出力する（ステップＳ３２）。この出力には、正常であれば、メインボード回路２３０の各デバイス用電源ＣｘとしてＤ１〜Ｄ９は動作するための定格電圧Ｄｘが設定されている。
【００６１】
メインボード２００は、デバイス用電源Ｃｘが定格電圧Ｄｘかどうか判断する？（ステップＳ３３）。
【００６２】
Ｃｘが定格電圧Ｄｘであるとき（ステップＳ３３／ＹＥＳ）、この場合は、記憶デバイス（１）１２０と記憶デバイス（２）２２０の設定パターンが一対であり、ＤＣ／ＤＣコンバータ（１）処理部１１０が変換するメインボード動作電源Ｃ１〜Ｃ９の電圧がメインボード回路２３０の各デバイス用電源Ｄ１〜Ｄ９の定格電圧と等しくなるため、メインボード回路２３０内の各デバイスが定格の電源で起動開始する（ステップＳ３４）。
【００６３】
Ｃｘが定格電圧Ｄｘでないとき（ステップＳ３２／ＮＯ）、この場合は、記憶デバイス（１）１２０と記憶デバイス（２）２２０が対にならないときで、ＤＣ／ＤＣコンバータ（１）処理部１１０が変換するメインボード動作電源Ｃ１〜Ｃ９の電圧は、メインボード回路２３０の各デバイス用電源Ｄ１〜Ｄ９の定格電圧と異なってしまう。このため、各電圧状態は少なく過ぎたり電源が供給されても過電圧となったりして、ノートパソコンは起動できない。
【００６４】
また、メインボード動作電源Ｃ１〜Ｃ９として変換された電圧が大きくなりすぎた場合はメインボード回路２３０を壊す可能性があるため、ヒューズＦ１〜Ｆ９で電源回路の物理切断を行い、起動不可とする（ステップＳ３５）。
【００６５】
尚、ヒューズＦ１〜Ｆ９は外部からは見えないようにメインボード２００内に設置する。
【００６６】
次に、記憶デバイス（２）２２０と対になる記憶デバイス（１）１２０が挿入された場合の正常動作について図３を用いて説明する。
【００６７】
メインボード回路２３０の各デバイス用電源Ｄ１は１２Ｖで動作し、Ｄ２〜Ｄ３は１９Ｖで動作し、Ｄ４〜Ｄ９は５Ｖで動作する。
【００６８】
図３の例では、電源端子Ａ１は１９Ｖ、Ａ２は１２Ｖ、Ａ３は６Ｖ、Ａ４は１９Ｖ、Ａ５は９Ｖ、Ａ６は１２Ｖ、Ａ７は６Ｖ、Ａ８は５Ｖ、Ａ９は９Ｖに設定されている。
【００６９】
一方、ＤＣ／ＤＣコンバータ（２１）処理部２１１１０への昇圧高圧率情報は、メインボード回路２３０の各デバイス用電源Ｄ１〜Ｄ９の定格電圧に対応する昇降圧率が設定される。
【００７０】
この場合の昇降圧率はＣ１が０．６３、Ｃ２が１．５８、Ｃ３が３．１７、Ｃ４が０．２６、Ｃ５が０．５６、Ｃ６が０．４２、Ｃ７が０．８３、Ｃ８が１．００、Ｃ９が０．５６である。
【００７１】
このとき、ＤＣ／ＤＣコンバータ（２１）処理部２１１０が変換するメインボード動作電源Ｃ１〜Ｃ９とメインボード回路２３０の各デバイス用電源Ｄ１〜Ｄ９の定格電圧が一致し、ノートパソコンは正常に起動する。
【００７２】
次に、セキュリティシステム（２）７００が盗難され、記憶デバイス（２）２２０と対にならない記憶デバイス（１）１２０が挿入された場合の異常動作について図４を用いて説明する。
【００７３】
別の記憶デバイス（１）１２０が接続され、１例として電源端子Ａ１は１２Ｖ、Ａ２は１９Ｖ、Ａ３は５Ｖ、Ａ４は９Ｖ、Ａ５は１９Ｖ、Ａ６は５Ｖ、Ａ７は９Ｖ、Ａ８は５Ｖ、Ａ９は６Ｖが設定されている。
【００７４】
ＤＣ／ＤＣコンバータ（２１）処理部２１１０の昇圧高圧率情報は、変らず、Ｃ１が０．６３、Ｃ２が１．５８、Ｃ３が３．１７、Ｃ４が０．２６、Ｃ５が０．５６、Ｃ６が０．４２、Ｃ７が０．８３、Ｃ８が１．００、Ｃ９が０．５６である。
【００７５】
このとき、ＤＣ／ＤＣコンバータ（２１）処理部２１１０が変換するメインボード動作電源の出力端子Ｃ１〜Ｃ９への電圧は、Ｃ１が７．６Ｖ、Ｃ２が３０Ｖ、Ｃ３が１６Ｖ、Ｃ４が２．３Ｖ、Ｃ５が１１Ｖ、Ｃ６が２．１Ｖ、Ｃ７が７．５Ｖ、Ｃ８が５Ｖ、Ｃ９が３．４Ｖとなる。
【００７６】
この結果、変換された電圧Ｃ１、Ｃ３、Ｃ４、Ｃ６、Ｃ９が定格電圧に対して不足し、端子Ｃ２、Ｃ５、Ｃ７への電圧は定格電圧に対して過電圧のためヒューズが回路を切断する。
【００７７】
結果としてノートＰＣは起動不可となり、以降は正しい組み合わせの記憶デバイス（１）１２０および記憶デバイス（２）２２０を接続しても起動できない。
【００７８】
このため、本発明の第２の実施の形態であるセキュリティシステム（２）７００は、ユーザ−によって記憶デバイス（１）１２０が意図的に外されることにより、セキュリティを確保できる。
【００７９】
その理由は、各電源端子の定格電圧に対して予め記憶デバイス（１）１２０に設定された変換テーブルに基づいて昇降圧するＤＣ／ＤＣコンバ−タ（１）処理部１１０と、ＤＣ／ＤＣコンバ−タ（１）処理部１１０の出力電圧を予め記憶デバイス（２）２２０に設定された逆変換テーブルに基づいて昇降圧するＤＣ／ＤＣコンバ−タ（２）処理部２１０を含むような構成を採用したためである。
【００８０】
また、セキュリティシステム（２）７００の盗難後にセキュリティが図ることができる。
【００８１】
その理由は、記憶デバイス（１）１２０と記憶デバイス（２）２２０とで設定不一致となる場合にメインボード２００のヒューズ回路２５０を切断し回路の物理破壊を行うような構成を採用したためである。
【００８２】
尚、ＤＣ／ＤＣコンバ−タ（１）処理部１１０、およびＤＣ／ＤＣコンバ−タ（２）処理部２１０は、ハードウェアで実現してもよいしソフトウェアで実現してもよい。
【符号の説明】
【００８３】
１００    ＡＣ／ＤＣ変換処理部
１１０    ＤＣ／ＤＣコンバータ（１）処理部
１２０    記憶デバイス（１）
１３０    ＡＣ／ＤＣコンバータ
１４０    端子部（１）
２００    メインボード
２１０    ＤＣ／ＤＣコンバータ（２）処理部
２２０    記憶デバイス（２）
２３０    メインボード回路
２３１    ＣＰＵ
２３２    ディスプレイ
２３３    ＨＤＤ
２３４    パッド
２３５    ＰＣカード
２３６    バックライト
２３７    ＣＤ
２３８    ＬＡＮ
２３９    ＵＳＢ
２４０    端子部（２）
２５０    ヒューズ回路
３００    ＡＣ電源
４００    ＡＣ／ＤＣ変換処理部
４１０    記憶デバイス（１）
４２０    ＤＣ／ＤＣコンバータ（１）処理部
４３０    端子部（１）
５００    メインボード
５１０    記憶デバイス（２）
５２０    ＤＣ／ＤＣコンバータ（２）処理部
５３０    端子部（２）
【図１】
2011227705.tif 000003
【図２】
2011227705.tif 000004
【図３】
2011227705.tif 000005
【図４】
2011227705.tif 000006
【図５】
2011227705.tif 000007